【手続補正書】
【提出日】令和3年1月29日(2021.1.29)
【手続補正１】
【補正対象書類名】明細書
【補正対象項目名】０００４
【補正方法】変更
【補正の内容】
【０００４】
ＯＲＶＲシステムは蒸気の放出抑制に成功したが、まだ欠点がある。前記化学キャニスタは活性炭または炭などのゆるい吸着粒子で充填されるため、取り扱いおよび梱包が厄介となる可能性がある。前記吸着粒子は物理的に自身を支えることができないため、また、厳しい排気規制は現在少量の蒸気排出さえも禁止しているため、高い吸着能力が必要となり、これらのキャニスタはかさばり、重くなっている。ゆるい吸着粒子のため、またＯＲＶＲ装置が複雑であることから１台の車両コストが高くなるが、貴重な乗客および貨物スペースを削ってしまうため、前記キャニスタの製造、管理、および廃棄も厄介である。自動車メーカーはすべての要素で軽量化し、上昇しつつある燃料効率の目標を満たす、またコストを削減し、乗客および貨物スペースを広くすることを要求されており、新しいＯＲＶＲ装置が必要であり、より小さく、軽く、簡単で費用対効果が高いが、それでも厳密な排気目標に準拠する必要がある。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第２，０３８，０７１号明細書
（特許文献２）  米国特許出願公開第２００２／０１７０４３６号明細書
（特許文献３）  米国特許出願公開第２００３／０１８８６６３号明細書
（特許文献４）  米国特許出願公開第２００４／０１１８２８７号明細書
（特許文献５）  米国特許出願公開第２００４／０１１８３８７号明細書
（特許文献６）  米国特許出願公開第２００５／００８１７１７号明細書
（特許文献７）  米国特許出願公開第２００５／０１６７３６７号明細書
（特許文献８）  米国特許出願公開第２００６／００４２４６７号明細書
（特許文献９）  米国特許出願公開第２００６／００５４１４２号明細書
（特許文献１０）  米国特許出願公開第２００６／０２０５８３０号明細書
（特許文献１１）  米国特許出願公開第２００７／０１６９７５８号明細書
（特許文献１２）  米国特許出願公開第２００７／０２７２０８０号明細書
（特許文献１３）  米国特許出願公開第２００８／０１２１１４２号明細書
（特許文献１４）  米国特許出願公開第２００８／０３０８０７５号明細書
（特許文献１５）  米国特許出願公開第２００９／０１７２９９８号明細書
（特許文献１６）  米国特許出願公開第２００９／０２２３３７０号明細書
（特許文献１７）  米国特許出願公開第２０１０／０１７８６２４号明細書
（特許文献１８）  米国特許出願公開第２０１１／００３０５９２号明細書
（特許文献１９）  米国特許出願公開第２０１１／００７２９７４号明細書
（特許文献２０）  米国特許出願公開第２０１１／０１００２２３号明細書
（特許文献２１）  米国特許出願公開第２０１２／００４８１１０号明細書
（特許文献２２）  米国特許出願公開第２０１２／０１０００５４号明細書
（特許文献２３）  米国特許出願公開第２０１３／００７８１６９号明細書
（特許文献２４）  米国特許出願公開第２０１３／０１０９５６２号明細書
（特許文献２５）  米国特許出願公開第２０１３／０２６９５３２号明細書
（特許文献２６）  米国特許出願公開第２０１４／０１１７０５４号明細書
（特許文献２７）  米国特許出願公開第２０１４／０１６５５４２号明細書
（特許文献２８）  米国特許出願公開第２０１５／００５０２０２号明細書
（特許文献２９）  米国特許出願公開第２０１６／０１６６９７２号明細書
（特許文献３０）  米国特許出願公開第２０１６／０２７１５５５号明細書
（特許文献３１）  米国特許出願公開第２０１８／００３０８７１号明細書
（特許文献３２）  米国特許出願公開第２０１８／０２２９２１７号明細書
（特許文献３３）  米国特許出願公開第２０１９／０２４７８３１号明細書
（特許文献３４）  米国特許第３，７１３，２８１号明細書
（特許文献３５）  米国特許第３，７５７，４８８号明細書
（特許文献３６）  米国特許第４，３３１，６３９号明細書
（特許文献３７）  米国特許第４，４１８，６６２号明細書
（特許文献３８）  米国特許第５，０１６，６２８号明細書
（特許文献３９）  米国特許第５，３２２，７７８号明細書
（特許文献４０）  米国特許第５，３４８，７５５号明細書
（特許文献４１）  米国特許第５，３５２，２７４号明細書
（特許文献４２）  米国特許第５，５００，０３８号明細書
（特許文献４３）  米国特許第５，５９８，７２１号明細書
（特許文献４４）  米国特許第５，７５４，００２号明細書
（特許文献４５）  米国特許第５，８２１，６８２号明細書
（特許文献４６）  米国特許第５，８６１，０５０号明細書
（特許文献４７）  米国特許第６，１７６，８９７号明細書
（特許文献４８）  米国特許第６，１８６，９３９号明細書
（特許文献４９）  米国特許第６，３４２，１２９号明細書
（特許文献５０）  米国特許第６，４０６，５２３号明細書
（特許文献５１）  米国特許第６，４７２，３４３号明細書
（特許文献５２）  米国特許第６，５９９，８５６号明細書
（特許文献５３）  米国特許第６，６９９，３９３号明細書
（特許文献５４）  米国特許第６，７０６，１９４号明細書
（特許文献５５）  米国特許第６，８４８，３７４号明細書
（特許文献５６）  米国特許第７，０７７，８９１号明細書
（特許文献５７）  米国特許第７，２２２，６１２号明細書
（特許文献５８）  米国特許第７，２７８，４０６号明細書
（特許文献５９）  米国特許第７，５４７，３５０号明細書
（特許文献６０）  米国特許第７，６６６，５０７号明細書
（特許文献６１）  米国特許第７，７０４，３０５号明細書
（特許文献６２）  米国特許第７，７８０，７６５号明細書
（特許文献６３）  米国特許第７，８５８，０６１号明細書
（特許文献６４）  米国特許第７，８６２，７２５号明細書
（特許文献６５）  米国特許第７，８７９，１３６号明細書
（特許文献６６）  米国特許第８，０３４，１６３号明細書
（特許文献６７）  米国特許第８，０４２，５２４号明細書
（特許文献６８）  米国特許第８，０５７，５７６号明細書
（特許文献６９）  米国特許第８，０６９，７９７号明細書
（特許文献７０）  米国特許第８，０８０，０８８号明細書
（特許文献７１）  米国特許第８，１６８，１４７号明細書
（特許文献７２）  米国特許第８，２６３，５２４号明細書
（特許文献７３）  米国特許第８，８６４，８７７号明細書
（特許文献７４）  米国特許第８，８８８，９０１号明細書
（特許文献７５）  米国特許第９，７３２，６４９号明細書
（特許文献７６）  米国再発行特許発明第３８，８４４号明細書
（特許文献７７）  欧州特許出願公開第０４３３６７７号明細書
（特許文献７８）  欧州特許出願公開第１４１３３４８号明細書
（特許文献７９）  英国特許出願公告第１３３６２４１号明細書
（特許文献８０）  特開２００８−０２３３６５号公報
（特許文献８１）  国際公開第２０１０／０４２３２１号
（特許文献８２）  国際公開第２０１１／０３８４１５号
（特許文献８３）  国際公開第２０１１／１２７３２３号
（特許文献８４）  国際公開第２０１３／０６３４９０号
（特許文献８５）  国際公開第２０１３／０８３９９２号
（特許文献８６）  国際公開第２０１４／０８２０７６号
（特許文献８７）  国際公開第２０１４／０８８６３０号
（特許文献８８）  国際公開第２０１４／２０５２００号
（特許文献８９）  国際公開第２０１８／１４４５８８号
（特許文献９０）  米国特許第７，０７７，８９１号明細書
（特許文献９１）  米国特許第５，８９７，７７９号明細書
（特許文献９２）  米国特許第８，６３２，３３４号明細書
（特許文献９３）  米国特許出願公開第２００４／０１９７６１２号明細書
（特許文献９４）  米国特許第３，７３０，１５８号明細書
（非特許文献）
（非特許文献１）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  Ａｐｐｌｉｃａｔｉｏｎ  Ｎｏ．ＰＣＴ／ＵＳ２０１９／０４４９５８  ｄａｔｅｄ  Ｏｃｔｏｂｅｒ  ２４，２０１９
（非特許文献２）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１４／０４３１５８  ｄａｔｅｄ  Ｏｃｔｏｂｅｒ  ２８，２０１４
（非特許文献３）  Ｉｎｔｅｒｎａｔｉｏｎａｌ  Ｓｅａｒｃｈ  Ｒｅｐｏｒｔ  ａｎｄ  Ｗｒｉｔｔｅｎ  Ｏｐｉｎｉｏｎ  ｆｏｒ  ＰＣＴ／ＵＳ２０１９／４４９６４  ｄａｔｅｄ  Ｏｃｔｏｂｅｒ  １８，２０１９
（非特許文献４）  ＲＡＰＯＳＯ  ｅｔ  ａｌ．，Ｍｅｒｃｕｒｙ  Ｓｐｅｃｉａｔｉｏｎ  ｉｎ  Ｆｌｕｏｒｅｓｃｅｎｔ  Ｌａｍｐｓ  ｂｙ  Ｔｈｅｒｍａｌ  Ｒｅｌｅａｓｅ  Ａｎａｌｙｓｉｓ  （２００３），Ｗａｓｔｅ  Ｍａｎａｇｅｍｅｎｔ  ２３（１０）：８７９−８８６
（非特許文献５）  Ｓｕｐｐｌｅｍｅｎｔａｒｙ  Ｅｕｒｏｐｅａｎ  Ｓｅａｒｃｈ  Ｒｅｐｏｒｔ  ｉｎ  ｃｏｒｒｅｓｐｏｎｄｉｎｇ  Ｅｕｒｏｐｅａｎ  Ａｐｐｌｉｃａｔｉｏｎ  Ｎｏ．１４８１３６０４．７  ｄａｔｅｄ  Ｊａｎｕａｒｙ  ３０，２０１７